(57)【要約】【課題】パネルの振動により人体振動音を伝える電子機器において、更なる音圧特性の向上を可能とする該電子機器を提供する。【解決手段】本発明に係る電子機器は、筐体と、前記筐体に取り付けられたパネルと、前記パネルに取り付けられた振動発生部と、を備え、前記振動発生部の変形に起因して、前記パネルが変形し、該パネルに接触する対象物に人体振動音を伝える電子機器であって、前記パネルにおける、前記振動発生部が取り付けられている側の端部は自由端である。【選択図】図１
2015142355.tif 000002
【特許請求の範囲】
【請求項１】
筐体と、
前記筐体に取り付けられたパネルと、
前記パネルに取り付けられた振動発生部と、を備え、
前記振動発生部の変形に起因して、前記パネルが変形し、該パネルに接触する対象物に人体振動音を伝える電子機器であって、
前記パネルにおける、前記振動発生部が取り付けられている側の端部は自由端である
ことを特徴とする電子機器。
【請求項２】
前記振動発生部は、前記パネルにおける、前記筐体に取り付けられた面において、前記筐体が取り付けられた領域よりも外側の領域に取り付けられる
ことを特徴とする請求項１に記載の電子機器。
【請求項３】
前記パネルに前記振動発生部が取り付けられた領域における、前記パネルの自由端となっている端部から最も離れた位置よりも、内側にて前記パネルと前記筐体とが取り付けられている
ことを特徴とする請求項２に記載の電子機器。
【請求項４】
前記振動発生部における前記パネルに取り付けられる面とは反対側の面に取り付けられるフィルム形状の基板をさらに備え、
前記基板は、前記振動発生部に取り付けられた領域から延設された延設部を有し、
前記延設部の一部の領域が前記パネルに接合され、該接合された領域とは反対側の領域が前記筐体に接合される
ことを特徴とする請求項１から３のいずれか一項に記載の電子機器。
【請求項５】
前記延設部は、第１接合部材により前記パネルに接合され、第２接合部材により前記筐体に接合されており、
前記延設部が前記第１接合部材及び前記第２接合部材により密着されて覆われている
ことを特徴とする請求項４に記載の電子機器。
【請求項６】
前記第１接合部材もしくは前記第２接合部材の少なくとも一方は、シリコーンゲルである
ことを特徴とする請求項５に記載の電子機器。
【請求項７】
リング状の部材をさらに備え、
前記延設部は、前記リング状の部材の中空部分に挿通した状態で該リング状の部材に挟まれ、
前記リング状の部材を介して、前記パネル及び前記筐体に接合される
ことを特徴とする請求項４に記載の電子機器。
【請求項８】
前記基板における、前記振動発生部に接続された領域は、絶縁部材によって覆われている
ことを特徴とする請求項４から７のいずれか一項に記載の電子機器。
【請求項９】
前記パネルは、板状部と、該板状部の一端から延設された湾曲部と、を有し、
前記振動発生部は、前記パネルの湾曲部に取り付けられ、
前記パネルの湾曲部は、自由端である
ことを特徴とする請求項１から８のいずれか一項に記載の電子機器。
【請求項１０】
前記パネルは、第１の面と、前記パネルの一端が屈曲し、前記第１の面と一体となって形成される第２の面と、を有し、
前記振動発生部は、前記パネルの第２の面に取り付けられ、
前記パネルの第２の面は自由端である
ことを特徴とする請求項１から８のいずれか一項に記載の電子機器。
【請求項１１】
前記振動発生部は、磁歪素子およびコイルから構成される
ことを特徴とする請求項１から１０のいずれか一項に記載の電子機器。
【請求項１２】
前記振動発生部は、圧電素子から構成される
ことを特徴とする請求項１から１０のいずれか一項に記載の電子機器。
【発明の詳細な説明】
【技術分野】
【０００１】
この発明は、パネルを備える電子機器において、パネルを振動させ、該パネルの振動を人体に伝達させることにより音を使用者に伝える電子機器に関する。
【背景技術】
【０００２】
特許文献１には、携帯電話端末などの電子機器において、パネルに取り付けられた圧電素子の変形に起因して前記パネルを振動させることで、パネルに接触する対象物に人体振動音を伝えるものが記載されている。また、特許文献１には、人体振動音とは、振動する物体に接触する使用者の体の一部（例えば外耳の軟骨）を介して使用者の聴覚神経に伝わる音であることが記載されている。
【先行技術文献】
【特許文献】
【０００３】
【特許文献１】特許第５２５５１４２号
【発明の概要】
【発明が解決しようとする課題】
【０００４】
特許文献１に記載の電子機器においては、様々な用途に向けて更なる音圧特性の向上が望まれている。
【０００５】
本発明の目的は、パネルの振動により人体振動音を伝える電子機器において、更なる音圧特性の向上を可能とする該電子機器を提供することにある。
【課題を解決するための手段】
【０００６】
本発明に係る電子機器は、筐体と、前記筐体に取り付けられたパネルと、前記パネルに取り付けられた振動発生部と、を備え、前記振動発生部の変形に起因して、前記パネルが変形し、該パネルに接触する対象物に人体振動音を伝える電子機器であって、前記パネルにおける、前記振動発生部が取り付けられている側の端部は自由端である、ことを特徴とするものである。
【０００７】
また、前記振動発生部は、前記パネルにおける、前記筐体に取り付けられた面において、前記筐体が取り付けられた領域よりも外側の領域に取り付けられていても良い。
【０００８】
また、前記パネルに前記振動発生部が取り付けられた領域における、前記パネルの自由端となっている端部から最も離れた位置よりも、内側にて前記パネルと前記筐体とが取り付けられていても良い。
【０００９】
また、前記振動発生部における前記パネルに取り付けられる面とは反対側の面に取り付けられるフィルム形状の基板をさらに備え、前記基板は、前記振動発生部に取り付けられた領域から延設された延設部を有し、前記延設部の一部の領域が前記パネルに接合され、該接合された領域とは反対側の領域が前記筐体に接合されていても良い。
【００１０】
また、前記延設部は、第１接合部材により前記パネルに接合され、第２接合部材により前記筐体に接合されており、前記延設部が前記第１接合部材及び前記第２接合部材により密着されて覆われていても良い。
【００１１】
また、前記第１接合部材もしくは前記第２接合部材の少なくとも一方は、シリコーンゲルであっても良い。
【００１２】
また、リング状の部材をさらに備え、前記延設部は、前記リング状の部材の中空部分に挿通した状態で該リング状の部材に挟まれ、前記リング状の部材を介して、前記パネル及び前記筐体に接合されていても良い。
【００１３】
また、前記基板における、前記振動発生部に接続された領域は、絶縁部材によって覆われていても良い。
【００１４】
また、前記パネルは、板状部と、該板状部の一端から延設された湾曲部と、を有し、前記振動発生部は、前記パネルの湾曲部に取り付けられ、前記パネルの湾曲部は、自由端であっても良い。
【００１５】
また、前記パネルは、第１の面と、前記パネルの一端が屈曲し、前記第１の面と一体となって形成される第２の面と、を有し、前記振動発生部は、前記パネルの第２の面に取り付けられ、前記パネルの第２の面は自由端であっても良い。
【００１６】
また、前記振動発生部は、磁歪素子およびコイルから構成されていても良い。
【００１７】
また、前記振動発生部は、圧電素子から構成されていても良い。
【発明の効果】
【００１８】
本発明に係る電子機器によれば、パネルの振動により人体振動音を伝える電子機器において、更なる音圧特性の向上を可能とする該電子機器を提供することができる。
【図面の簡単な説明】
【００１９】
【図１】本発明の一実施形態に係る電子機器の機能ブロックを示す図である。
【図２】パネルの好適な形状を示す図である。
【図３】本発明の実施形態に係る電子機器の概略構造を示す図である。
【図４】本発明の実施形態に係る電子機器のパネルの振動の一例を示す図である。
【図５】本発明の実施形態に係る電子機器の詳細な構成を示す図である。
【図６】本発明の実施形態に係る電子機器において、パネルと筺体との接合領域を説明するための図である。
【図７】本発明の構成の第１の変形例を示した図である
【図８】本発明の構成の第２の変形例を示した電子機器の断面図である。
【図９】本発明の構成の第３の変形例を示した電子機器の断面図である。
【発明を実施するための形態】
【００２０】
以降、諸図面を参照しながら、本発明の実施態様を詳細に説明する。図１は、本発明の一実施形態に係る電子機器１の機能ブロックを示す図である。電子機器１は、例えば携帯電話（スマートフォン）であって、パネル１０と、表示部２０と、振動発生部３０と、入力部４０と、制御部５０と、を備える。
【００２１】
パネル１０は、接触を検出するタッチパネル、または表示部２０を保護するカバーパネル等である。例えば、ガラス、アクリル等の合成樹脂、サファイア等により形成される。ここで、サファイアとは、酸化アルミニウム（Ａｌ２Ｏ３）の結晶からなり、工業的に製造されたものをいう。パネル１０は、平板形状であっても良いし、曲面形状を有していても良い。曲面形状を有するパネルとしては、例えば、電子機器１の外部側を構成する面においては、中央部が凹んだ凹形状を有する一方で、電子機器１の内部側を構成する面は平面であるものも含まれる。このようなパネルは、使用者が通話を行うために電子機器１を側頭部に当てる際、パネル１０の凹面が使用者の側頭部に填まり易く、使い勝手が良くなる一方で、パネル１０における、電子機器１の内部側の面は平面であるため、例えば、柔軟性に乏しい平板形状の表示部２０であっても容易に取り付けることができる。また、パネル１０がタッチパネルである場合、使用者の指、ペン、またはスタイラスペン等の接触を検出する。タッチパネルの検出方法は、静電容量方式、抵抗膜方式、表面弾性波方式（または超音波方式）、赤外線方式、電磁誘導方式、および、荷重検出方式等の任意の方式を用いることができる。
【００２２】
表示部２０は、液晶ディスプレイ、有機ＥＬディスプレイ、または無機ＥＬディスプレイ等の表示デバイスである。さらには、可撓性を有したフレキシブルディスプレイであってもよい。好適なフレキシブルディスプレイの特性としては、例えば、厚さ０．１ｍｍ程度、曲率半径４ｍｍ程度であり、これには有機ＥＬディスプレイが最も適している。表示部２０は、パネル１０の背面に設けられる。表示部２０は、接合部材（例えば接着剤）によりパネル１０の背面に配設される。表示部２０は、パネル１０と離間して配設され、電子機器１の筐体により支持されてもよい。あるいは、好適な態様では、表示部２０は、接合部材（例えば接着剤）によりパネル１０の背面に接合されてもよい。接合部材は、例えば、透過させる光の屈折率を制御した、光学弾性樹脂などの弾性樹脂である。表示部２０は、接合部材とパネル１０を透過して種々の情報を表示する。
【００２３】
振動発生部３０は、電気信号（電圧）が印加されることにより、機械振動（変位）を生じる。このとき、振動発生部３０が取り付けられたパネル１０は、振動発生部３０の変位にあわせて変形（振動）する。これにより、パネル１０は、気導音を発生させる。また、パネル１０は、該パネル１０に接触する対象物に人体振動音を伝える。より詳細には、パネル１０の振動が、人体の軟組織（例えば外耳の軟骨）を経由して、中耳または内耳に伝わり、中耳または内耳を振動させることにより音を伝える。振動発生部３０は、例えば、磁歪素子及びコイルから構成されているものや、或いは、圧電素子から構成されているものである。
【００２４】
磁歪素子は、磁界中においてその磁界の方向に伸張する性質を有する磁歪材料から成る素子である。中でも、希土類元素と鉄との合金に代表され、変化量が１０００ｐｐｍを超える磁歪材料は、超磁歪材料と呼ばれる。磁歪素子の周囲にコイルが配置され、外部から供給される電気信号（電圧）に応じて、コイルにより磁界が発生した場合に、磁歪素子は、変位し、磁歪素子に当接されたパネル１０を叩打する（或いは、磁歪素子とパネル１０との間に、例えば、ロッド状の部材が介在し、ロッド状の部材を介して、パネル１０が叩打される）。パネル１０は、磁歪素子により叩打されることによって振動し、該パネル１０に接触する対象物に人体振動音を伝える。磁歪素子は、上述したように、金属合金から成るため、後述する圧電素子に特有の脆性を有さず、圧電素子と比較して、外部からの衝撃による破損が起こりにくい。
【００２５】
圧電素子は、電気信号を印加することで、構成材料の電気機械結合係数に従い伸縮または屈曲する素子である。これらの素子は、例えばセラミックや水晶からなるものが用いられる。圧電素子は、ユニモルフ、バイモルフまたは積層型圧電素子であってよい。積層型圧電素子には、バイモルフを積層した（例えば１６層または２４層積層した）積層型バイモルフ素子が含まれる。積層型の圧電素子は、例えばＰＺＴ（チタン酸ジルコン酸鉛）からなる複数の誘電体層と、該複数の誘電体層間に配設された電極層との積層構造体から構成される。積層型圧電素子は、電気信号が印加されると、各層の積層方向、即ち、厚み方向に撓みの変位を起こす。圧電素子が取り付けられたパネル１０は、圧電素子の変位に併せて振動し、該パネル１０に接触する対象物に人体振動音を伝える。圧電素子は、磁歪素子が変位を起こすために該磁歪素子の周囲にコイルを配置する必要があるのに対して、そのような部材の配置を必要としないため、磁歪素子と比較して、振動発生部の構造をより簡略化できる。
【００２６】
入力部４０は、使用者からの操作入力を受け付けるものであり、例えば、操作ボタン（操作キー）から構成される。なお、パネル１０がタッチパネルである場合には、パネル１０も使用者からの接触を検出することにより、使用者からの操作入力を受け付けることができる。
【００２７】
制御部５０は、電子機器１を制御するプロセッサである。制御部５０は、振動発生部３０に所定の電気信号（音声信号に応じた電圧）を印加する。例えば、制御部５０は、通話相手の音声に係る音声信号に応じた電気信号を振動発生部３０に印加させ、その音声信号に対応する気導音及び人体振動音を発生させることができる。音声信号は、着信メロディ、または音楽を含む楽曲等に係るものであってもよい。なお、電気信号にかかる音声信号は、電子機器１の内部メモリに記憶された音楽データに基づくものでもよいし、外部サーバ等に記憶されている音楽データがネットワークを介して再生されるものであってもよい。振動発生部３０が圧電素子である場合、制御部５０が該圧電素子に対して印加する電圧は、例えば、人体振動音ではなく気導音による音の伝導を目的とした所謂パネルスピーカの印加電圧である±５Ｖよりも高い、±１５Ｖであってよい。これにより、使用者が例えば３Ｎ以上の力（５Ｎ〜１０Ｎの力）で自身の体にパネル１０を押し付けた場合であっても、パネル１０に十分な振動を発生させ、使用者の体の一部を介する人体振動音を発生させることができる。尚、どの程度の印加電圧を用いるかは、パネル１０の筐体または電子機器１を構成する部材等に対する固定強度もしくは振動発生部３０の性能に応じて適宜調整可能である。
【００２８】
パネル１０は、振動発生部３０が取り付けられた取付領域だけでなく、取付領域から離れた領域も振動する。パネル１０は、振動する領域において、該パネル１０の主面と交差する方向に振動する箇所を複数有し、該複数の箇所の各々において、振動の振幅の値が、時間とともにプラスからマイナスに、あるいはその逆に変化する。パネル１０は、ある瞬間において、振動の振幅が相対的に大きい部分と振動の振幅が相対的に小さい部分とが一見パネル１０の略全体にランダムにあるいは周期的に分布した振動をする。即ち、パネル１０全域にわたって、複数の波の振動が検出される。振動発生部３０が圧電素子である場合、使用者が例えば５Ｎ〜１０Ｎの力で自身の体にパネル１０を押し付けた場合であっても、パネル１０の上述したような振動が減衰しないためには、制御部５０が圧電素子に対して印加する電圧は、±１５Ｖであってよい。そのため、使用者は、上述したパネル１０の取付領域から離れた領域に耳を接触させて音を聞くことができる。
【００２９】
ここで、パネル１０は、使用者の耳とほぼ同じ大きさであってよい。また、パネル１０は、図２に示すように、使用者の耳よりも大きいものであってもよい。この場合、使用者が音を聞く際、電子機器１のパネル１０により耳全体が覆われやすいことから、周囲音（ノイズ）を外耳道に入りにくくできる。パネル１０は、対耳輪下脚（下対輪脚）から対耳珠までの間の距離に相当する長さと、耳珠から対耳輪までの間の距離に相当する幅とを有する領域よりも広い領域が振動すればよい。パネル１０は、好ましくは、耳輪における対耳輪上脚（上対輪脚）近傍の部位から耳垂までの間の距離に相当する長さと、耳珠から耳輪における対耳輪近傍の部位までの間の距離に相当する幅を有する領域が振動すればよい。長さ方向は、この例ではパネル１０が延在する長手方向２ａであり、その中心から一方の端部寄りに振動発生部３０が配設される。また、幅方向は、長手方向と直交する方向２ｂである。かかる長さおよび幅を有する領域は、長方形状の領域であってもよいし、上記の長さを長径、上記の幅を短径とする楕円形状であってもよい。日本人の耳の平均的な大きさは、社団法人  人間生活工学研究センター（ＨＱＬ）作成の日本人の人体寸法データベース（１９９２−１９９４）等を参照すれば知ることができる。尚、パネル１０が日本人の耳の平均的な大きさ以上の大きさであれば、パネル１０は概ね外国人の耳全体を覆うことができる大きさであると考えられる。
【００３０】
上記のような寸法や形状を有することで、パネル１０は、ユーザーの耳を覆うことができ、耳に当てたときの位置ずれに対して寛容になる。
【００３１】
上記の電子機器１は、パネル１０の振動により、気導音と、使用者の体の一部（例えば外耳の軟骨）を介する振動音とを使用者に伝えることができる。従って、単に気導音のみを使用者に伝える従来の場合と比較して、電子機器１の外部への音漏れをより低減することができるため、例えば、録音されたメッセージを電車内等で聞く場合等に適している。
【００３２】
また、上記の電子機器１は、パネル１０の振動によって振動音を伝えるため、例えば使用者がイヤホンまたはヘッドホンを身につけていても、それらに電子機器１を接触させることで、使用者はイヤホンまたはヘッドホンおよび体の一部を介して音を聞くことができる。
【００３３】
上記の電子機器１は、パネル１０の振動により使用者に音を伝える。そのため、電子機器１が別途ダイナミックレシーバを備えない場合、音声伝達のための開口部（放音口）を筐体に形成する必要がなく、電子機器１の防水構造が簡略化できる。なお、電子機器１がダイナミックレシーバを備える場合、放音口は、気体は通すが液体は通さない部材によって閉塞されるとよい。気体は通すが液体は通さない部材は、例えばゴアテックス（登録商標）である。
【００３４】
図３は、本発明の実施形態に係る電子機器１の概略構造を示す図である。以後、電子機器１には、振動発生部３０として圧電素子が使用されているものとして本実施形態を説明する。図３（ａ）は正面図、図３（ｂ）は図３（ａ）におけるｂ−ｂ線に沿った断面図である。図３に示す電子機器１はパネル１０としてガラス板であるタッチパネルが筐体６０（例えば金属や樹脂のケース）の前面に配されたスマートフォンである。パネル１０は、接合部材７０により筐体６０に接合されることで、該筐体６０に取り付けられている。ここで、接合部材７０は、例えば、接着剤や両面テープである。また、表示部２０及び振動発生部３０は、接合部材７０によりパネル１０に接合されて、取り付けられている。パネル１０への表示部２０の取り付けに好適な接合部材７０としては、例えば、無色透明のアクリル系紫外線硬化型接着剤である光学弾性樹脂がある。また、例えば、パネル１０への振動発生部３０の取り付けに好適な接合部材７０としては、防水性を有した両面テープや熱硬化性あるいは紫外線硬化性等を有する接着剤がある。入力部４０は、パネル１０と同様にして、筐体６０に取り付けられている。ここで、パネル１０、表示部２０および振動発生部３０は、それぞれ略長方形状である。
【００３５】
表示部２０は、パネル１０の短手方向におけるほぼ中央に配設される。振動発生部３０は、パネル１０の長手方向の端部から所定の距離だけ離間して、該端部の近傍に、振動発生部３０の長手方向がパネル１０の短辺に沿うように設けられる。表示部２０と振動発生部３０とは、パネル１０の内部側の面に平行な方向において並んで設けられる。
【００３６】
本実施形態に係る電子機器１は、上記の構成を有することにより、パネル１０の背面に取り付けられた振動発生部３０の変形に起因してパネル１０が変形し、該変形するパネル１０に接触する対象物に対して気導音と振動音とを伝えることができる。
【００３７】
図４は、本発明の実施形態に係る電子機器１のパネル１０の振動の一例を示す図である。本実施形態に係る電子機器１では、図に示すように、パネル１０の上部に振動発生部３０が取り付けられ、該上部よりも下側において表示部２０が取り付けられている。パネル１０は、振動発生部３０の長辺方向２ａにおいて該振動発生部３０の直上がその周囲と比較して最も高く隆起するように、振動発生部３０によって曲げられる。一方、パネル１０の下部は、表示部２０が取り付けられていることにより、振動発生部３０が取り付けられたパネル１０の上部に比して振動しにくくなる。そのため、パネル１０の下部において、パネル１０の下部が振動することによる音漏れが低減できる。
【００３８】
電子機器１は、パネル１０の振動により音を伝える。ここで、振動発生部３０が筐体６０に取り付けられ、筐体６０を振動させる場合と比較すると、使用者が電子機器を手に取って通話する際に、筐体６０の振動により電子機器を落としてしまう可能性がある（通常、使用者は電子機器の筐体部分を持って通話を行う）。一方、パネル１０を振動させる電子機器１ではこのような問題が起き難い。尚、それ程振動が大きくない場合は、勿論、振動発生部３０が筐体６０に取り付けられていても良い。
【００３９】
ところで、上述した電子機器には、更なる音圧特性の向上が望まれている。そこで本出願人は、更なる音圧特性の向上を可能とするような該電子機器の構造を検討した。以後、検討がなされた電子機器の構造について詳述する。
【００４０】
図５は、本発明の実施形態に係る電子機器１の詳細な構成を示す図である。図５（ａ）は正面図、図５（ｂ）は図５（ａ）におけるｂ−ｂ線に沿った断面図、図５（ｃ）は図５（ａ）におけるｃ−ｃ線に沿った断面図である。図５（ｂ）、（ｃ）に示すように、振動発生部３０は、接合部材７０によりパネル１０の上端部の近傍に接合されて、取り付けられている。また、パネル１０は、該パネル１０の下端部が、接合部材７０により筐体６０に接合されている。さらに、図示していないが、パネル１０における左右の両端部の其々も接合部材７０により筐体６０に接合されている。しかしながら、パネル１０の上端部は、筐体６０に接合されていない。即ち、パネル１０の上端部は自由端となっている。
【００４１】
本発明に係る電子機器１は、パネル１０における、振動発生部３０が取り付けられている側の端部が自由端となる構成を有している。従って、本発明に係る電子機器１は、振動発生部３０の変位に起因する、パネル１０の振動を阻害し難く、結果として、より高い音圧特性を実現することができる。
【００４２】
本発明に係る電子機器１は、図５（ｂ）、（ｃ）に示すように、パネル１０の長手方向における、該パネル１０に表示部２０が取り付けられた領域と振動発生部３０が取り付けられた領域との間の領域において、パネル１０は、接合部材７０により、筐体６０に接合されて取り付けられている。このとき、パネル１０と筺体６０とは、パネル１０の短手方向と平行な方向に沿って接合している。図５（ｂ）において、パネル１０は、接合部材７０及び後述するＦＰＣ（フレキシブルプリント基板）８０を介して筺体６０に取り付けられている。図５（ｃ）において、パネル１０は、接合部材７０を介して筺体６０に取り付けられている。振動発生部３０は、パネル１０と筺体６０とが接合された領域とパネル１０の上端部との間に配置される。即ち、振動発生部３０は、パネル１０における、筐体６０に取り付けられた面において、該パネル１０と筐体６０とが接合された領域よりも外側の領域に取り付けられる。
【００４３】
ここで、本発明に係る電子機器１の構成における、「パネル１０における、振動発生部３０が取り付けられている側の端部が自由端である」こととは、パネル１０における、振動発生部３０が取り付けられた側の端部と振動発生部３０との間に、パネル１０と筺体６０との接合領域が配されていないことと定義される。以下に、「パネル１０における、振動発生部３０が取り付けられている側の端部が自由端である」ことの例を示す。
【００４４】
図６は、本発明に係る電子機器１において、パネル１０と筺体６０との接合領域（パネル１０が接合部材７０により筐体６０に接合された領域）を説明するための複数の実施例を示す図である。図６は電子機器１の正面図を示している。本来、表示部２０及び振動発生部３０は、パネル１０における電子機器１の内部側の面に取り付けられる（パネル１０よりも、紙面の奥方向に配置される）ため、実線で示されるべきではないが、ここでは、図の理解を容易にするため、実線で示しており、パネル１０と筺体６０との接合領域のみを破線で示している（パネル１０と筺体６０との接合領域は、破線で囲まれた領域に相当する）。また、入力部４０及びＦＰＣ８０の図示を省略している。図６（ａ）〜（ｄ）に示すように、本発明に係る電子機器１において、振動発生部３０は、パネル１０における、筐体６０に取り付けられた面において、該パネル１０と筐体６０との接合領域よりも外側の領域に取り付けられる。図６（ａ）では、パネル１０と筺体６０との接合領域が、パネル１０の上端部（パネル１０における振動発生部３０が取り付けられた側の端部）における、振動発生部３０に対向した領域以外の領域に配されている。図６（ａ）では、パネル１０と筺体６０との接合領域は、パネル１０の短手方向における、振動発生部３０の両隣に配されている。図６（ｂ）では、パネル１０と筺体６０との接合領域が、パネル１０の上端部に配されず、左右の両側端に沿って配されている。しかし、厳密には、パネル１０の左右の両側端に配された接合領域は、パネル１０の短手方向において所定の幅を有していることから、該幅の分だけパネル１０の上端部に接合領域が配されている。図６（ｂ）に示す構成は、図６（ａ）に示す構成と比較して、振動発生部３０の周囲における、パネル１０と筐体６０との接合領域が小さいため、パネル１０の振動の阻害をより低減できる。図６（ｃ）では、パネル１０に振動発生部３０が取り付けられた領域における、パネル１０の上端部とは反対側の端辺、及び該短辺を含む仮想線よりも外側には、パネル１０と筺体６０との接合領域が配されていない。図６（ｃ）に示す構成は、即ち、パネル１０に振動発生部３０が取り付けられた領域における、パネル１０の上端部から最も離れた位置よりも、内側にてパネル１０と筐体６０との接合領域（パネル１０と筐体６０とが接合部材７０により取り付けられた領域）を有する。図６（ｃ）に示す構成は、図６（ａ）、（ｂ）に示す構成と比較して、振動発生部３０の周囲における、パネル１０と筐体６０との接合領域が小さいため、パネル１０の振動の阻害をより低減できる。なお、本発明では、表示部２０と振動発生部３０との間において、該パネル１０の短手方向に沿って、パネル１０と筐体６０とを接合させる必要は必ずしもない。図６（ｄ）に示すような、パネル１０の下端部及び左右の両端部のみが筐体６０に接合された構成であっても良い。しかしながら、表示部２０と振動発生部３０との間において、該パネル１０の短手方向に沿って、パネル１０と筐体６０とを接合させることにより、パネル１０は、表示部４０の四辺の周囲において筐体６０に支持されるため、より強固に筐体６０から支持される。このような構成により、例えば、パネル１０が、接触を検出するタッチパネルである場合、使用者がパネル１０を押圧したときに、該パネル１０が撓む恐れを軽減し、結果として使い勝手が良くなる。
【００４５】
再度、図５を参照すると、本発明に係る電子機器１において、振動発生部３０には、ＦＰＣ８０が電気的に接続されている。ＦＰＣ８０は、例えば、ポリイミド等の樹脂からなるフィルム状の絶縁体（ベースフィルム）の上に導体層（信号線）を形成し、さらに、導体層における、端子部に該当する領域を除いて、絶縁体が被覆された構成を有している。ＦＰＣ８０は、振動発生部３０（本実施例では略平板状の圧電素子とする）におけるパネル１０に取り付けられる面とは反対側の面に取り付けられる。ＦＰＣ８０の端子部と圧電素子に備えられた電極端子部とは、例えば、ＡＣＰ（Ａｎｉｓｏｔｒｏｐｉｃ  Ｃｏｎｄｕｃｔｉｖｅ  Ｐａｓｔｅ）接続又はＡＣＦ（Ａｎｉｓｏｔｒｏｐｉｃ  Ｃｏｎｄｕｃｔｉｖｅ  Ｆｉｌｍ）接続と呼ばれる手法によって接着される。このとき、ＦＰＣ８０は、圧電素子における、パネル１０に取り付けられた面とは反対側の面の略全体を覆っている。ＦＰＣ８０は、前述したように、ポリイミド等の樹脂を基材としているため、圧電素子の面を覆った場合に、外部からの衝撃を吸収する緩和部材としての役割も果たし、圧電素子の破損を防止することができる。なお、必ずしも圧電素子の面の全体を覆う必要はなく、面の一部を覆っている構成であっても良い。
【００４６】
図５（ｂ）に示すように、ＦＰＣ８０は、振動発生部３０（圧電素子）に取り付けられた領域から延設して、例えば、図示していない制御部５０に電気的に接続され、制御部５０から印加される電気信号を振動発生部３０に伝達する。ＦＰＣ８０における、振動発生部３０（圧電素子）に取り付けられた領域から延設された領域（延設部）は、該延設部の一部の領域が接合部材７０によりパネル１０に接合され、該接合された領域とは反対側の領域が接合部材７０により筐体６０に接合されている。また、ここで使用される接合部材７０は、例えば、防水性を有した両面テープあるいは接着剤である。
【００４７】
本発明に係る電子機器１では、パネル１０の上端部が筐体６０に接合していないため、図５（ｂ）、（ｃ）に示すように、パネル１０の上端部と筐体６０との間には隙間が生じている。ここで、電子機器１に防水構造を付与したい場合には、この隙間、即ち、パネル１０における、表示部２０が取り付けられた領域と振動発生部３０が取り付けられた領域との間の領域を、防水性を有した接合部材７０を介して、筐体６０と接合させることで、更なる内部への水の浸入を防止することができる。即ち、本発明に係る電子機器１では、パネル１０と筐体６０とを接合部材７０によって接合させることにより、パネル１０と筐体６０との接合領域よりも外側に配置される振動発生部３０を除き、電子機器１の内部に配置された部材に対する防水構造の付与が可能となる。しかしながら、図５（ｂ）に示すように、接合部材７０の間には、前述したＦＰＣ８０の延設部が介在した部分がある。この部分において、ＦＰＣ８０の延設部は、第１接合部材によりパネル１０に接合され、一方で、第２接合部材により筐体６０に接合されている。このとき、ＦＰＣ８０の延設部、第１接合部材、及び第２接合部材は、互いに密着し、隙間を生じないことが、防水構造を付与する上で重要となる。即ち、ＦＰＣ８０の延設部は、第１接合部材及び第２接合部材により密着されて覆われている構成としても良い。このような構成を実現するための手段として、第１接合部材もしくは第２接合部材の少なくとも一方に、変形自在なシリコーンゲルからなるシートを用い、延設部、第１接合部材、及び第２の接合部材を隙間なく、互いに密着させ、パネル１０及び筐体６０に接合させる方法がある。
【００４８】
また、ＦＰＣ８０の延設部を、第１接合部材及び第２接合部材により密着されて覆われている構成とするための別の方法として、ＦＰＣ８０の延設部と第１又は第２の接合部材との間に生じる隙間に、流動性を有した接着剤を充填することで、該隙間を無くす方法と採っても良い。
【００４９】
また、電子機器１の防水構造（振動発生部３０への防水は除く）を付与する上記方法以外の方法として、例えば、ＦＰＣ８０の延設部をリング状の部材の中空部分に挿通し、該挿通した状態でリング状の部材を挟み、リング状の部材を介して、パネル１０及び筐体６０に接合させる方法がある。より具体的には、リング状のゴム部材（グロメット）の中空部分にＦＰＣ８０の延設部を挿通した状態で、グロメットと延設部とが密着するように、グロメットを挟み、パネル１０と筺体６０との隙間にグロメットを圧入する。このような方法により、パネル１０、筐体６０、及びＦＰＣ８０との間に隙間を生じることなく、即ち、電子機器１の内部と外部とを連通させる隙間を生じることなく、パネル１０と筐体６０とを接合させることが可能であるため、防水構造を付与することができる。
【００５０】
上述の方法により、振動発生部３０を除き、電子機器１に防水構造を付与することができる。しかしながら、振動発生部３０とＦＰＣ８０とが接続された領域、即ち、振動発生部３０の電極端子部及びＦＰＣ８０の端子部が外部に露出しているため、該露出した領域は防水構造を有しない。従って、振動発生部３０とＦＰＣ８０とが接続された領域に水等の導電性の液体が付着した場合には、該領域が短絡する恐れがある。そのため、振動発生部３０とＦＰＣ８０とが接続された領域においても防水構造を付与する（或いは露出した領域を絶縁性物質で覆う）必要がある。そこで、例えば、振動発生部３０の電極端子部及びＦＰＣ８０の端子部に対して、シリコーン、ウレタン、フッ素等の絶縁物質がコーティングされた、即ち、ＦＰＣ８０における、振動発生部３０に接続された領域を、絶縁性の樹脂部材によって覆われた構成とすることが好ましい。
【００５１】
本発明に係る電子機器１の構成において、ＦＰＣ８０は、該ＦＰＣ８０の一端が振動発生部３０に接合され、一方で、ＦＰＣ８０の延設部の一部が接合部材７０を介して、パネル１０及び筐体６０に接合されている。ＦＰＣ８０における、振動発生部３０に接合された領域と、パネル１０及び筐体６０に接合された領域との間の領域が撓むことなく、張った状態であると、振動発生部３０の変位によるパネル１０の振動が生じた場合に、パネル１０の振動によりＦＰＣ８０が破断する、或いは、ＦＰＣ８０によってパネル１０の振動を阻害される恐れがある。従って、ＦＰＣ８０における、振動発生部３０に接合された領域と、パネル１０及び筐体６０に接合された領域との間の領域を予め、十分に撓ませた状態で、該ＦＰＣ８０を振動発生部３０、パネル１０及び筐体６０に接合させた構成とすることが好ましい。
【００５２】
図７は、本発明の構成の第１の変形例を示した図である。図７（ａ）は正面図、図７（ｂ）は図７（ａ）におけるｂ−ｂ線に沿った断面図、図７（ｃ）は図７（ａ）におけるｃ−ｃ線に沿った断面図、である。本変形例は、図５に示した構成と比較して、パネル１０の形状が異なる。本変形例におけるパネル１０は、図７に示すように、電子機器１の背面と平行に配置され、表示部２０が取り付けられる略板状の板状部１０１と該板状部１０１の一端から延設された湾曲部１０２とを有している。パネル１０は、板状部１０１の上端から湾曲部１０２が延設され、電子機器１の上側面の一部を構成している。振動発生部３０は、接合部材７０によりパネル１０の湾曲部１０２に接合されて、取り付けられている。また、パネル１０は、板状部１０１の下端部が、接合部材７０により筐体６０に接合されている。さらに、図示していないが、板状部１０１における左右の両端部の其々も接合部材７０により筐体６０に接合されている。しかしながら、パネル１０の上端部、即ち、湾曲部１０２の端部は、筐体６０に接合されていない。即ち、パネル１０の湾曲部１０２の端部は自由端となっている。
【００５３】
第１の変形例における電子機器１は、パネル１０における、振動発生部３０が取り付けられている側の端部が自由端となる構成を有している。従って、本発明に係る電子機器１は、パネル１０の振動を阻害し難く、結果として、より高い音圧特性を実現することができる。
【００５４】
パネル１０は、パネル１０の長手方向において、該パネル１０に表示部２０が取り付けられた領域と振動発生部３０が取り付けられた領域との間の領域において、筐体６０と接合されている。図７に示すように、パネル１０の板状部１０１と筺体６０とが接合部材７０により接合されている。図７（ｂ）において、パネル１０は、接合部材７０及びＦＰＣ８０を介して筺体６０に取り付けられている。図７（ｃ）において、パネル１０は、接合部材７０を介して筺体６０に取り付けられている。このとき、パネル１０と筺体６０とは、パネル１０の短手方向と平行な方向に沿って接合されている。このような構成により、パネル１０は、表示部４０の四辺の周囲において筐体６０に支持されるため、強固に筐体６０から支持される。このような構成により、例えば、パネル１０が、接触を検出するタッチパネルである場合、使用者がパネル１０を押圧したときに、パネル１０に掛る圧力によって該パネル１０が撓む恐れを軽減し、結果として使い勝手が良くなる。なお、表示部２０と振動発生部３０との間において、該パネル１０の短手方向に沿って、パネル１０と筐体６０とを接合させる必要は必ずしもなく、パネル１０の下端部及び左右の両端部のみが筐体６０に接合された構成であっても良い。
【００５５】
図８は、本発明の構成の第２の変形例を示した電子機器１の断面図である。本変形例は、第１の変形例に示した構成と比較して、パネルの形状が異なる。本変形例におけるパネル１０は、電子機器１の背面と平行に配置され、表示部２０が取り付けられる第１の面１０３と、パネル１０の一端が屈曲し、第１の面と一体となって形成される第２の面１０４と、を有している。振動発生部３０は、接合部材７０により、パネル１０の第２の面１０４に接合されて、取り付けられている。また、パネル１０における第１の面１０３の下端部は、接合部材７０により筐体６０に接合されている。さらに、図示していないが、第１の面１０３における左右の両端部の其々も接合部材７０により筐体６０に接合されている。しかしながら、パネル１０の上端部、即ち、第２の面の端部は、筐体６０に接合されていない。即ち、パネル１０の第２の面１０４は自由端となっている。
【００５６】
第２の変形例における電子機器１は、パネル１０における、振動発生部３０が取り付けられている側の端部が自由端となる構成を有している。このような構成により、本発明に係る電子機器１は、第２の面の端部が筐体６０に接合されている場合と比較して、パネル１０の振動を阻害し難く、結果として、より高い音圧特性を実現することができる。
【００５７】
図９は、本発明の構成の第３の変形例を示した電子機器１の断面図である。本変形例における電子機器１は、第１ケース部材６１と第２ケース部材６２とにより筐体が構成される。電子機器１は、パネル１０と第１ケース部材６１と第２ケース部材６２とが、電子機器１の厚み方向において、積み重なって接合している。パネル１０は、第１の変形例と同様にして、板状部１０１と湾曲部１０２とから成っており、湾曲部１０２には、振動発生部３０が取り付けられている。また、湾曲部１０２の端部は筐体に接合していない、即ち、自由端となっているため、パネル１０の振動を阻害し難い構成となっている。尚、本変形例におけるパネル１０の形状はこれに限定されず、これまでに開示してきた種々の形状の内の何れかの形状を有していても良い。
【００５８】
振動発生部３０における、パネル１０に取り付けられた面とは反対の面にはＦＰＣ８０が取り付けられている。ＦＰＣ８０は、振動発生部３０に取り付けられた領域から延設して制御部５０に接続されており、制御部５０から印加される電気信号を振動発生部３０に伝える。ここで、ＦＰＣ８０における、振動発生部３０に取り付けられた領域から延設した領域（延設部）において、該領域の一部が第１ケース部材６１に接合され、該接合された領域とは反対側の領域が第２ケース部材６２に接合されている。このとき、ＦＰＣ８０は、接合部材７０により第１ケース部材６１及び第２ケース部材６２に接合され、ＦＰＣ８０と接合部材７０とは密着している。ＦＰＣ８０と接合部材７０との密着構造は、前述した方法と同様にして達成される。
【００５９】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。例えば、パネル１０と筺体６０とを接合させるための接合部材７０として、両面テープあるいは接着剤を例示したが、これらを単独で用いるのではなく、併用しても良い。この場合、例えば、筐体６０に対して両面テープを貼り、その上に、両面テープよりも接着力が高い接着剤を塗布し、パネル１０を接合させても良い。両面テープ及び接着剤は互いに強固に接着し、ひいては、パネル１０と筐体６０とを強固に接合することができる。また、両面テープ上に接着剤を塗布するのではなく、両面テープを一部繰り抜いて、形成された空間に接着剤を充填させて、パネル１０と筐体６０とを接合させる構成としても良い。ここで使用される接着剤としては、例えば、非加熱型硬化性の接着剤であり、また、空気中の水分（湿気）と反応して硬化する湿気硬化型弾性接着剤である。湿気硬化型弾性接着剤は、例えば、シリル基を含む特殊ポリマーを主成分としている。
【００６０】
また、本発明の構成の第１の変形例において、表示部２０がパネル１０の板状部１０１に取り付けられる構成を示したが、これに限定されず、表示部２０の一部または全体がパネル１０の湾曲部１０２に取り付けられていても良い。さらには、本発明の構成の第２の変形例において、表示部２０がパネル１０の第１の面１０３に取り付けられる構成を示したが、これに限定されず、表示部２０の一部または全体がパネル１０の第２の面１０４に取り付けられていても良い。
【００６１】
また、振動部材３０は、接合部材７０によりパネル１０に取り付けられる構成を示したが、これに限定されず、パネル１０と振動部材３０との間に中間部材を設けても良い。中間部材は、例えば、振動部材３０として圧電素子を用いた場合に、該圧電素子の変形が過剰になることを低減する部材であり、また、例えば、外力が圧電素子に伝達されることを緩和する部材である。中間部材は、例えば、ゴムまたはシリコーン等の弾性素材、ポリアミド系樹脂から成る。ポリアミド系樹脂には、例えば、メタキシリレンジアミンとアジピン酸とから得られる結晶性の熱可塑性樹脂から成り、強度および弾性に富むレニー（登録商標）がある。このようなポリアミド系樹脂は、それ自体をベースポリマーとして、ガラス繊維、金属繊維または炭素繊維等により強化された強化樹脂であってもよい。ポリアミド系樹脂に対するガラス繊維、金属繊維または炭素繊維等の付加量に応じて、強度および弾性が適宜調整される。上記のような強化樹脂は、例えば、ガラス繊維、金属繊維または炭素繊維等を編みこんで形成された基材に樹脂を含浸させ、硬化させて形成される。強化樹脂は、液状の樹脂に細かく切断された繊維片を混入させた後に硬化させて形成されるものであってもよい。強化樹脂は、繊維を編みこんだ基材と樹脂層とを積層したものであってもよい。
【００６２】
また、振動部材３０におけるパネル１０に取り付けられた面とは反対側の面をＦＰＣ８０で覆う構成とすることにより、振動部材３０に対する外部からの外力の伝搬をＦＰＣ８０が緩和することを説明したが、本発明においては、ＦＰＣ８０とは別に、外部からの衝撃を緩和可能な緩和部材を設けても良い。緩和部材は、例えば、上述した中間部材と同様な材質を有し、板形状に加工され、振動部材３０或いはＦＰＣ８０上に取り付けられる。また、振動部材３０の上に紫外線硬化性樹脂等を滴下し、固化させることによって緩和部材を設けても良い。
【００６３】
また、本発明に係る電子機器１は、パネル１０に振動発生部３０が取り付けられ、振動発生部３０の変位によって、音を発生させるものとして説明したが、音を発生させる部材はパネル１０に限定されない。電子機器１を構成し、略平板形状を一部に有する部材であれば、音を発生させることができる。このような部材として、例えば、電子機器１の筐体を構成するケース部材や、或いは、ポリカーボネートから成り、ケース部材に着脱自在に取り付けられるバッテリーカバー等が挙げられる。例えば、略矩形状の底面と、底面の４辺の端部から垂直に延設された側面部とからなる箱形状のケース部材において、振動発生部３０は、ケース部材の底面に取り付けられる。このとき、振動発生部３０の変位によりケース部材の底面が振動し、音を発生させる。ケース部材の底面における、振動発生部３０が取り付けられている側の端部を自由端にするためには、該底面の端部と側面部との間に切り欠きを設ければ良い（底面の端部と、側面部とが一体となっていない構成とすれば良い）。尚、切り欠きは、ケース部材の底面における、振動発生部３０が取り付けられている側の端辺と側面部との間にのみ設けられても良いし、加えて、底面における、振動発生部３０が取り付けられている側の端辺と直交する２つの端辺の其々と側面部との間の一部（または全部）に設けられていても良い。また、ケース部材の底面における、振動発生部３０が取り付けられている側の端辺の一部に切り欠きが設けられる構成であっても良い。これらの構成により、振動発生部３０の変位に起因する、ケース部材の振動を阻害し難く、より高い音圧特性を実現することができる。
【００６４】
また、本発明の実施例は、スマートフォンを例にとって説明してきたが、これに限られない。操作部側筐体と表示部側筐体とが、折り畳み可能に連結された携帯電話機であっても良い。また、操作部側筐体と表示部側筐体とが重ね合った状態から一方の筐体を一方向にスライドさせるようにしたスライド式や、操作部側筐体と表示部側筐体との重ね合せ方向に沿う軸線を中心に一方の筐体を回転させるようにした回転（ターン）式や、操作部側筐体と表示部側筐体とが一つの筐体に配置され連結部を有さない型式（ストレートタイプ）でもよい。また、携帯電話機は、開閉及び回転可能ないわゆる２軸ヒンジタイプであってもよい。
【符号の説明】
【００６５】
１  電子機器
１０  パネル
２０  表示部
３０  振動発生部
４０  入力部
５０  制御部
６０  筐体
６１  第１ケース部材
６２  第２ケース部材
７０  接合部材
８０  ＦＰＣ
１０１  板状部
１０２  湾曲部
１０３  第１の面
１０４  第２の面
【図１】
2015142355.tif 000003
【図２】
2015142355.tif 000004
【図３】
2015142355.tif 000005
【図４】
2015142355.tif 000006
【図５】
2015142355.tif 000007
【図６】
2015142355.tif 000008
【図７】
2015142355.tif 000009
【図８】
2015142355.tif 000010
【図９】
2015142355.tif 000011